(57)【特許請求の範囲】
【請求項１】
浴室・脱衣所・トイレ等の複数の部屋を含んで構成される水廻り設備室構造において、
互いに対向するようにして立設された第１支持部と第２支持部とが配置されており、
前記第１支持部と第２支持部との間には、洗面ボウルを備える洗面カウンターが架設されており、この洗面カウンターは、該洗面カウンターを挟んで両側から使用可能とされており、
前記第１支持部と第２支持部とのうち、少なくとも一方は、前記洗面カウンターよりも上方に突出する複数の支持柱とされ、
前記洗面カウンターは、この支持柱側から使用可能とされており、
前記複数の支持柱のうち、前記洗面カウンターよりも上方の部分には、内部が収納部とされる収納枠体が架設されていることを特徴とする水廻り設備室構造。
【請求項２】
請求項１に記載の水廻り設備室構造において、
前記第１支持部と第２支持部とのうち、少なくとも一方の支持部は中空状に形成されており、
前記洗面カウンター用の排水管および水道管は、中空状に形成された支持部の内部に配管されていることを特徴とする水廻り設備室構造。
【請求項３】
請求項１に記載の水廻り設備室構造において、
前記第１支持部と第２支持部とのうち、少なくとも一方の支持部の表面に沿って、前記洗面カウンター用の排水管および水道管が配管されていることを特徴とする水廻り設備室構造。
【請求項４】
請求項１〜３のいずれか一項に記載の水廻り設備室に備え付けられる洗面カウンターの配置構造であって、
前記洗面カウンターは、前記水廻り設備室を構成する複数の部屋のうち、浴室および脱衣所側の領域とトイレ側の領域との間に配置されており、
この洗面カウンターは、該洗面カウンターを挟んで前記浴室および脱衣所側の領域とトイレ側の領域とから使用可能とされていることを特徴とする洗面カウンターの配置構造。
【請求項５】
請求項１〜３のいずれか一項に記載の水廻り設備室に備え付けられた洗面カウンターの配置構造であって、
前記水廻り設備室は玄関に隣接して配設されており、
前記洗面カウンターは、これら水廻り設備室と玄関との間に配置されており、
この洗面カウンターは、該洗面カウンターを挟んで水廻り設備室側と玄関側とから使用可能とされていることを特徴とする洗面カウンターの配置構造。
【請求項６】
浴室・脱衣所・トイレ等の複数の部屋を含んで構成され、
互いに対向するようにして立設された第１支持部と第２支持部とが配置されており、
これら第１支持部と第２支持部との間には、洗面ボウルを備える洗面カウンターが架設されており、この洗面カウンターは、該洗面カウンターを挟んで両側から使用可能とされており、
前記第１支持部と第２支持部とのうち、少なくとも一方は、上端部が前記洗面カウンターの高さに設定された支持壁とされており、
前記支持壁の上方には、この支持壁の上端部から間隔をあけて吊戸棚が配置され、前記支持壁と前記吊戸棚との間に隙間が形成されたことを特徴とする水廻り設備室に備え付けられた洗面カウンターの配置構造であって、
前記水廻り設備室は、キッチン設備が備え付けられたキッチンに隣接して配設されており、
前記洗面カウンターは前記水廻り設備室内に配置されており、
この洗面カウンターを支持する前記支持壁と、この支持壁の上方に配置された前記吊戸棚とは、前記水廻り設備室とキッチンとの間に、これら支持壁および吊戸棚の洗面カウンター側とは反対側の面が前記キッチンに面するようにして配置されており、
前記キッチン設備は、キッチンキャビネットと、このキッチンキャビネット上方に間隔をあけて配置されるキッチン吊戸棚とを有しており、
前記支持壁の上端部の高さ位置と前記キッチンキャビネットの上端部の高さ位置とが略等しくなるように設定されるとともに、前記吊戸棚の下端部の高さ位置と前記キッチン吊戸棚の下端部の高さ位置とが略等しくなるように設定されていることを特徴とする洗面カウンターの配置構造。
【請求項７】
請求項６に記載の洗面カウンターの配置構造において、
前記支持壁および吊戸棚のキッチン側面と、前記キッチンキャビネットおよびキッチン吊戸棚の一側面とが、略同様の意匠面とされていることを特徴とする洗面カウンターの配置構造。
【発明の詳細な説明】
【技術分野】
【０００１】
本発明は、浴室・脱衣所・トイレ等の複数の部屋を含んで構成される水廻り設備室構造と、この水廻り設備室に備え付けられる洗面カウンターの配置構造に関する。
【背景技術】
【０００２】
従来、洗面ボウルが一体化されたカウンターを、箱形のキャビネットの上部に取り付けるとともに、キャビネット内に水道管および排水管等を配管するようにして構成された洗面台が知られている（例えば、特許文献１参照）。
また、このような洗面台は、住宅等の建物の水廻り設備室を構成する浴室・洗面所・トイレのうち、洗面所の隅部に、洗濯機置き場と並ぶようにして設置されている（例えば、特許文献２参照）。
【先行技術文献】
【特許文献】
【０００３】
【特許文献１】特開２００１−０６１６８４号公報
【特許文献２】特開２０００−０４１８７４号公報
【発明の概要】
【発明が解決しようとする課題】
【０００４】
ところで、住宅等の建物では、居住者が普段生活するリビングや各自の部屋をなるべく広く確保しようとするため、上述のような水廻り設備室は窮屈になりやすい場合がある。
また、上述の洗面台は、該洗面台の前面側のみが洗面や化粧を行うための作業空間となっており、一人ずつしか使用できないため、洗面台を使用したい居住者が複数である場合には、不便で、かつ洗面台周囲の窮屈感が増大するという問題がある。
【０００５】
本発明の課題は、室内の開放感を高めることができるとともに、洗面台周囲の利便性を向上させることができ、快適な環境を形成することが可能な水廻り設備室構造および洗面カウンターの配置構造を提供することを目的とする。
【課題を解決するための手段】
【００１２】
請求項１に記載の発明は、例えば図５，図６に示すように、浴室２・脱衣所３・トイレ４等の複数の部屋２，３，４…を含んで構成される水廻り設備室構造１において、
互いに対向するようにして立設された第１支持部６（６ｂ）と第２支持部７（７ａ，７ｂ）とが配置されており、
これら第１支持部６と第２支持部７との間には、洗面ボウル８ａを備える洗面カウンター８が架設されており、この洗面カウンター８は、該洗面カウンター８を挟んで両側から使用可能とされており、
前記第１支持部６と第２支持部７とのうち、少なくとも一方は、前記洗面カウンター８よりも上方に突出する複数の支持柱６ｂ，６ｂとされ、
前記洗面カウンター８は、この支持柱６ｂ，６ｂ側から使用可能とされており、
前記複数の支持柱６ｂ，６ｂのうち、前記洗面カウンター８よりも上方の部分には、内部が収納部１２ａとされる収納枠体１２が架設されていることを特徴とする。
【００１３】
請求項１に記載の発明によれば、互いに対向するようにして立設された第１支持部６と第２支持部７との間には、洗面ボウル８ａを備える洗面カウンター８が架設されており、この洗面カウンター８は、該洗面カウンター８を挟んで両側から使用可能とされているので、例えば、前記洗面カウンター８を挟む一方側および他方側を、それぞれ、水廻り設備室１を構成する複数の部屋２，３，４…のいずれかとすることで、これら一方の部屋（例えば脱衣所３）側と他方の部屋（例えばトイレ４）側とから洗面カウンター８を使用することができる。すなわち、一つの洗面カウンター８を二方向から使用することができるので、従来に比して、利便性を確実に向上させることができる。
また、前記洗面カウンター８の上方および下方を、前記一方の部屋（例えば脱衣所３）側の領域と他方の部屋（例えばトイレ４）側の領域とを連通する空間とすることができる。これによって、前記一方の部屋（例えば脱衣所３）側の領域と他方の部屋（例えばトイレ４）側の領域との間で視線が遮られることを防ぐことができるとともに、水廻り設備室１内の開放感を高めることができるので、快適な環境を形成することが可能となる。
また、前記洗面カウンター８は、この支持柱６ｂ，６ｂ側から使用可能とされているので、前記一方の部屋側と他方の部屋側とから洗面カウンター８を使用できるだけでなく、支持柱６ｂ，６ｂ側から洗面カウンター８を使用できる。これによって、少なくとも三方向から前記洗面カウンター８を使用することができるので利便性を格段に向上できる。
【００１６】
請求項２に記載の発明は、例えば図１〜図９に示すように、請求項１に記載の水廻り設備室構造１において、
前記第１支持部６と第２支持部７とのうち、少なくとも一方の支持部６（７）は中空状に形成されており、
前記洗面カウンター８用の排水管および水道管は、中空状に形成された支持部６（７）の内部に配管されていることを特徴とする。
【００１７】
請求項２に記載の発明によれば、前記洗面カウンター８用の排水管および水道管は、中空状に形成された支持部６（７）の内部に配管されているので、前記洗面カウンター８の上方および下方に配管が露出するのを防ぐことができ、前記洗面カウンター８の上方および下方の空間をすっきりさせることができる。
【００１８】
請求項３に記載の発明は、例えば図９に示すように、請求項１に記載の水廻り設備室構造１において、
前記第１支持部６と第２支持部７とのうち、少なくとも一方の支持部６（７）の表面に沿って、前記洗面カウンター８用の排水管および水道管が配管されていることを特徴とする。
【００１９】
請求項３に記載の発明によれば、前記第１支持部６と第２支持部７とのうち、少なくとも一方の支持部６（７）の表面に沿って、前記洗面カウンター８用の排水管および水道管が配管されているので、前記洗面カウンター８の上方および下方に露出する配管を極力目立たなくすることができ、前記洗面カウンター８の上方および下方の空間をすっきりさせることができる。
【００２０】
請求項４に記載の発明は、例えば図１〜図３，図７に示すように、請求項１〜３のいずれか一項に記載の水廻り設備室１に備え付けられる洗面カウンター８の配置構造であって、
前記洗面カウンター８は、前記水廻り設備室１を構成する複数の部屋２，３，４…のうち、浴室２および脱衣所３側の領域とトイレ４側の領域との間に配置されており、
この洗面カウンター８は、該洗面カウンター８を挟んで前記浴室２および脱衣所３側の領域とトイレ４側の領域とから使用可能とされていることを特徴とする。
【００２１】
請求項４に記載の発明によれば、前記洗面カウンター８は、該洗面カウンター８を挟んで前記浴室２および脱衣所３側の領域とトイレ４側の領域とから使用可能とされているので、従来に比して、利便性をより確実に向上させることができる。
すなわち、例えば、前記浴室２および脱衣所３側の領域とトイレ４側の領域とから同時に洗面カウンター８を使用することもできるし、居住者の誰かが前記浴室２および脱衣所３側の領域から洗面カウンター８を使用していても、前記トイレ４を使用した他の居住者が、トイレ４側の領域から洗面カウンター８を使用したりすることができるので、水廻り設備室１内における利便性が高い。
【００２２】
請求項５に記載の発明は、例えば図８に示すように、請求項１〜３のいずれか一項に記載の水廻り設備室１に備え付けられた洗面カウンター８の配置構造であって、
前記水廻り設備室１は玄関２０に隣接して配設されており、
前記洗面カウンター８は、これら水廻り設備室１と玄関２０との間に配置されており、
この洗面カウンター８は、該洗面カウンター８を挟んで水廻り設備室１側と玄関２０側とから使用可能とされていることを特徴とする。
【００２３】
請求項５に記載の発明によれば、前記洗面カウンター８は、該洗面カウンター８を挟んで水廻り設備室１側と玄関２０側とから使用可能とされているので、従来に比して、利便性をより確実に向上させることができる。
すなわち、例えば、前記水廻り設備室１側と玄関２０側とから同時に洗面カウンター８を使用することもできるし、帰宅後すぐに、玄関２０側から洗面カウンター８を使用したりすることもでき、水廻り設備室１内だけでなく、水廻り設備室１に隣接する場所における利便性も高い。
【００２４】
請求項６に記載の発明は、例えば図９に示すように、浴室２・脱衣所３・トイレ４等の複数の部屋２，３，４…を含んで構成され、
互いに対向するようにして立設された第１支持部６（６ｄ）と第２支持部７（７ａ，７ｂ）とが配置されており、
これら第１支持部６と第２支持部７との間には、洗面ボウル８ａを備える洗面カウンター８が架設されており、この洗面カウンター８は、該洗面カウンター８を挟んで両側から使用可能とされており、
前記第１支持部６と第２支持部７とのうち、少なくとも一方は、上端部が前記洗面カウンター８の高さに設定された支持壁６ｄとされており、
前記支持壁６ｄの上方には、この支持壁６ｄの上端部から間隔をあけて吊戸棚６ｅが配置され、前記支持壁６ｄと前記吊戸棚６ｅとの間に隙間が形成されていることを特徴とする水廻り設備室１に備え付けられた洗面カウンター８の配置構造であって、
前記水廻り設備室１は、キッチン設備が備え付けられたキッチン３０に隣接して配設されており、
前記洗面カウンター８は前記水廻り設備室１内に配置されており、
この洗面カウンター８を支持する前記支持壁６ｄと、この支持壁６ｄの上方に配置された前記吊戸棚６ｅとは、前記水廻り設備室１とキッチン３０との間に、これら支持壁６ｄおよび吊戸棚６ｅの洗面カウンター８側とは反対側の面が前記キッチン３０に面するようにして配置されており、
前記キッチン設備は、キッチンキャビネット３１と、このキッチンキャビネット３１上方に間隔をあけて配置されるキッチン吊戸棚３２とを有しており、
前記支持壁６ｄの上端部の高さ位置と前記キッチンキャビネット３１の上端部の高さ位置とが略等しくなるように設定されるとともに、前記吊戸棚６ｅの下端部の高さ位置と前記キッチン吊戸棚３２の下端部の高さ位置とが略等しくなるように設定されていることを特徴とする。
【００２５】
請求項６に記載の発明によれば、互いに対向するようにして立設された第１支持部６と第２支持部７との間には、洗面ボウル８ａを備える洗面カウンター８が架設されており、この洗面カウンター８は、該洗面カウンター８を挟んで両側から使用可能とされているので、例えば、前記洗面カウンター８を挟む一方側および他方側を、それぞれ、水廻り設備室１を構成する複数の部屋２，３，４…のいずれかとすることで、これら一方の部屋（例えば脱衣所３）側と他方の部屋（例えばトイレ４）側とから洗面カウンター８を使用することができる。すなわち、一つの洗面カウンター８を二方向から使用することができるので、従来に比して、利便性を確実に向上させることができる。
また、前記洗面カウンター８の上方および下方を、前記一方の部屋（例えば脱衣所３）側の領域と他方の部屋（例えばトイレ４）側の領域とを連通する空間とすることができる。これによって、前記一方の部屋（例えば脱衣所３）側の領域と他方の部屋（例えばトイレ４）側の領域との間で視線が遮られることを防ぐことができるとともに、水廻り設備室１内の開放感を高めることができるので、快適な環境を形成することが可能となる。
また、前記支持壁６ｄの上方には、この支持壁６ｄの上端部から間隔をあけて吊戸棚６ｅが配置されているので、前記支持壁６ｄと吊戸棚６ｅとの間に隙間を形成できる。これによって、前記支持壁６ａの厚さ方向一方側の空間と他方側の空間との間で視線が遮られることを防ぐことができるので、水廻り設備室１内の開放感をより高めることができる。
また、前記洗面カウンター８は前記水廻り設備室１内に配置されており、前記支持壁６ｄと吊戸棚６ｅとは、前記水廻り設備室１とキッチン３０との間に、これら支持壁６ｄおよび吊戸棚６ｅの洗面カウンター８側とは反対側の面が前記キッチン３０に面するようにして配置されているので、前記洗面カウンター８をキッチン３０側に露出させない状態で、水廻り設備室１とキッチン３０とを隣接して配置することができる。
また、前記支持壁６ｄの上端部の高さ位置と前記キッチンキャビネット３１の上端部の高さ位置とが略等しくなるように設定されるとともに、前記吊戸棚６ｅの下端部の高さ位置と前記キッチン吊戸棚３２の下端部の高さ位置とが略等しくなるように設定されているので、隣接する水廻り設備室１とキッチン３０とに統一感を持たせることができる。しかも、前記支持壁６ｄと吊戸棚６ｅとの隙間と、前記キッチンキャビネット３１とキッチン吊戸棚３２との隙間も統一されるので、水廻り設備室１とキッチン３０との間における視野を拡大させることができるとともに開放感を高めることができ、より快適な環境を形成することが可能となる。
【００２６】
請求項７に記載の発明は、例えば図９に示すように、請求項６に記載の洗面カウンター８の配置構造において、
前記支持壁６ｄおよび吊戸棚６ｅのキッチン３０側面と、前記キッチンキャビネット３１およびキッチン吊戸棚３２の一側面３１ａ，３２ａとが、略同様の意匠面（例えば化粧板３３）とされていることを特徴とする。
【００２７】
請求項７に記載の発明によれば、前記支持壁６ｄおよび吊戸棚６ｅのキッチン３０側面と、前記キッチンキャビネット３１およびキッチン吊戸棚３２の一側面３１ａ，３２ａとが、略同様の意匠面とされているので、隣接する水廻り設備室１とキッチン３０との統一感をより高めることができる。
【発明の効果】
【００２８】
本発明によれば、互いに対向するようにして立設された第１支持部と第２支持部との間には、洗面ボウルを備える洗面カウンターが架設されており、この洗面カウンターは、該洗面カウンターを挟んで両側から使用可能とされているので、例えば、洗面カウンターを挟む一方側および他方側を、それぞれ、水廻り設備室を構成する複数の部屋のいずれかとすることで、これら一方の部屋側と他方の部屋側とから洗面カウンターを使用することができる。すなわち、一つの洗面カウンターを二方向から使用することができるので、従来に比して、利便性を確実に向上させることができる。
また、洗面カウンターの上方および下方を、一方の部屋側の領域と他方の部屋側の領域とを連通する空間とすることができる。これによって、一方の部屋側の領域と他方の部屋側の領域との間で視線が遮られることを防ぐことができるとともに、水廻り設備室内の開放感を高めることができるので、快適な環境を形成することが可能となる。
【図面の簡単な説明】
【００２９】
【図１】本発明に係る水廻り設備室構造および洗面カウンターの配置構造を示す鳥瞰図である。
【図２】図１において、脱衣所側から洗面カウンターを見た場合の斜視図である。
【図３】図１において、水廻り設備室外から洗面カウンター付近を見た場合の斜視図である。
【図４】洗面カウンターを支持する第１支持部の他の一例を示す斜視図である。
【図５】同、他の一例を示す斜視図である。
【図６】同、他の一例を示す斜視図である。
【図７】本発明に係る水廻り設備室構造および洗面カウンターの配置構造の他の一例を示す平面図である。
【図８】同、他の一例を示す平面図である。
【図９】同、他の一例を示す斜視図である。
【発明を実施するための形態】
【００３０】
以下、図面を参照して本発明の実施の形態について説明する。
図１は本発明に係る水廻り設備室構造および洗面カウンターの配置構造の一例を示す鳥瞰図である。
図１において符号１は、水廻り設備室を示す。この水廻り設備室１は、浴室２・脱衣所３・トイレ４等の複数の部屋２，３，４…を含んで構成されている。また、この水廻り設備室１には、浴室２・脱衣所３・トイレ４の他にも、ユーティリティースペース５が設けられており、本実施の形態においては収納所として利用されている。
【００３１】
また、この水廻り設備室１には、互いに対向するようにして立設された第１支持部６（６ａ）と第２支持部７（７ａ）とが配置されている。
さらに、これら第１支持部６（６ａ）と第２支持部７（７ａ）との間には、洗面ボウル８ａを備える洗面カウンター８が架設されており、この洗面カウンター８は、該洗面カウンター８を挟んで両側から使用可能とされている。
【００３２】
ここで、前記第１支持部６（６ａ）について説明する。
本実施の形態の第１支持部６は支持壁６ａとされており、図１〜図３に示すように、前記洗面カウンター８を支持している。この支持壁６ａは、水廻り設備室１の床面から天井までの高さに設定されており、その高さ方向中央付近に、前記洗面カウンター８が位置している。
この支持壁６ａのうち、前記洗面カウンター８よりも上方の部分には、図２および図３に示すように、その厚さ方向に貫通する開口部９が設けられている。また、この開口部９には、透光性を有する面材１０が嵌め込まれている。
この開口部９は、前記洗面カウンター８の上面付近から、水廻り設備室１の天井付近までの高さに設定されており、支持壁６ａ全体に対して比較的大きな面積を占めている。
【００３３】
前記透光性面材１０は、矩形薄板状のものであり、例えば擦りガラス調の半透明のアクリル板で形成されている。
なお、この透光性面材１０の透明度は、適宜変更可能である。したがって、本実施の形態において、前記透光性を有する面材は半透明のものとしたが、これに限られるものではなく、図４に示すように、透明の透光性面材１１を使用してもよいものとする。
【００３４】
また、前記開口部９には、図２および図３に示すように、内部が収納部１２ａとされる収納枠体１２が嵌め込まれている。
この収納枠体１２は、天板、底板、両側板とで形成された矩形枠状体に複数の棚板を架設するようにして形成されており、天板と棚板、底板と棚板、上下に隣り合う棚板間が前記収納部１２ａとされている。
そして、この収納枠体１２の前記洗面カウンター８とは反対側の面に前記透光性面材１０が設けられている。
【００３５】
なお、本実施の形態の第１支持部６は、前記支持壁６ａとしたが、これに限られるものではなく、適宜変更可能である。
すなわち、図５および図６に示すように、第１支持部６として、単数または複数の支持柱６ｂ，６ｃを採用してもよいし、図９に示すように、前記支持壁６ａとは形態の異なる支持壁６ｄを採用してもよいものとする。
【００３６】
図５に示す複数の支持柱６ｂ，６ｂは、水廻り設備室１の床面から天井までの高さに設定されており、その高さ方向中央付近に、前記洗面カウンター８が位置している。
また、これら支持柱６ｂ，６ｂ間には、収納枠体１２が架設されている。
そして、前記洗面カウンター８は、これら支持柱６ｂ，６ｂ側から使用可能とされている。つまり、前記収納枠体１２の棚板間から洗面カウンター８側に手を挿入するなどして、前記洗面カウンター８を使用することができるようになっている。
さらに、収納枠体１２よりも下方は開放された空間となっており、水廻り設備室１における開放感の向上に寄与することができる。
【００３７】
図６に示す単数の支持柱６ｃは、水廻り設備室１の床面から天井までの高さに設定されており、その高さ方向中央付近に、前記洗面カウンター８が位置している。
また、この支持柱６ｃには収納枠体１２が取り付けられておらず、この支持柱６ｃ側から、前記洗面カウンター８を使用可能となっている。
さらに、この支持柱６ｃが存在する部分以外は開放された空間となっており、水廻り設備室１における開放感の向上に寄与することができる。
【００３８】
そして、前記洗面カウンター８は、前記支持柱６ｂ，６ｃ側から使用可能とされているので、一方の部屋側と他方の部屋側とから洗面カウンター８を使用できるだけでなく、支持柱６ｂ，６ｃ側から洗面カウンター８を使用できる。これによって、少なくとも三方向から前記洗面カウンター８を使用することができるので利便性を格段に向上できるという利点がある。
【００３９】
図９に示す支持壁６ｄは、上端部が前記洗面カウンター８の高さに設定されており、この上端部に、前記洗面カウンター８が位置している。
また、この支持壁６ｄの上方には、この支持壁６ｄの上端部から間隔をあけて吊戸棚６ｅが配置されている。この吊戸棚６ｅは水廻り設備室１の天井に吊設されている。
そして、これら支持壁６ｄと吊戸棚６ｅとの間に隙間を形成できるようになっており、この隙間から洗面カウンター８側に手を挿入するなどして、前記洗面カウンター８を使用することができる。
以上のように、前記支持壁６ｄと吊戸棚６ｅとの間に隙間を形成できることにより、前記支持壁６ａの厚さ方向一方側の空間と他方側の空間との間で視線が遮られることを防ぐことができるので、水廻り設備室１内の開放感をより高めることができる。
【００４０】
なお、前記吊戸棚６ｅは、前記支持壁６ｄと略等しい厚さに設定されているがこれに限られるものではなく、前記支持壁６ｄよりも厚さの厚い（奥行きがある）ものとし、収納量を向上させてもよいものとする。ただし、これら支持壁６ｄおよび吊戸棚６ｅの洗面カウンター８とは反対側の側面の位置は、極力、どちらかが突出しないように揃った状態であることが好ましい。
【００４１】
続いて、前記第２支持部７（７ａ）について説明する。
本実施の形態の第２支持部７は壁７ａとされており、図１および図３に示すように、前記支持壁６ａとともに前記洗面カウンター８を支持している。この壁７ａは、水廻り設備室１の床面から天井までの高さに設定されており、その高さ方向中央付近に、前記洗面カウンター８が位置している。
【００４２】
なお、この壁７ａは、前記トイレ４の周囲を囲む周壁の一部として利用されているが、これに限られるものではない。
すなわち、壁７ａとされた第２支持部７を、上述の支持壁６ａ，６ｄと同様の構成の支持壁としてもよいし、支持柱６ｂ，６ｃと同様の支持柱としてもよい。また、図８に示すように、収納棚７ｂ（後述する）等のような家具などを第２支持部７として使用してもよいものとする。
【００４３】
以上のような第１支持部６と第２支持部７とのうち、少なくとも一方の支持部は中空状に形成されており、前記洗面カウンター８用の排水管および水道管は、中空状に形成された支持部の内部に配管されている。
本実施の形態においては、図示はしないが、前記第１支持部６である支持壁６ａのうち、洗面カウンター８より下方に位置する部分が中空状に形成されており、この内部に排水管および水道管が配管されている。支持柱６ｂ，６ｃ、支持壁６ｄの場合も同様に、洗面カウンター８より下方に位置する部分が中空状に形成されており、この内部に排水管および水道管が配管されるものとする。
【００４４】
なお、本実施の形態では、排水管および水道管は支持壁６ａの内部に配管されるものとしたが、これに限られるものではなく、図示はしないが、第１支持部６と第２支持部７とのうち、少なくとも一方の支持部の表面に沿って配管されるものとしてもよい。これにより、洗面カウンター８の上方および下方に露出する配管を極力目立たなくすることができ、洗面カウンター８の上方および下方の空間をすっきりさせることができる。
【００４５】
続いて、前記洗面カウンター８について説明する。
この洗面カウンター８は、陶器、合成樹脂等で形成されるものであり、平面視において矩形状に形成されている。また、前記洗面ボウル８ａと、蛇口８ｂと、排水口とを備えている。
なお、この洗面カウンター８は、前記第１支持部６および第２支持部７に対して、ブラケット等の固定部材により固定されている。また、例えば高さの低い支持部６（７）とした場合は、支持部６（７）の上端部に洗面カウンター８の端部を載置した状態としてもよい。
【００４６】
続いて、図１〜図３に示す水廻り設備室１の構造について説明する。
前記水廻り設備室１は、平面視において矩形状に形成されており、浴室２と脱衣所３とトイレ４とが、図１中の矢印Ａに沿って一列に並ぶようにして配置されている。すなわち、浴室２に隣接して脱衣所３が配置されており、この脱衣所３に隣接してトイレ４が配置されている。
脱衣所３には、水廻り設備室１と、この水廻り設備室１外の他の部屋とを行き来するための出入口３ａが設けられている。この出入口３ａには扉が設けられているものとする。
【００４７】
浴室２および脱衣所３は、図１中の矢印Ｂの長さと略等しくなるような幅寸法に設定されているが、トイレ４は、矢印Ｂの長さの略半分程度の幅寸法となるように設定されている。
そして、このトイレ４の幅寸法と前記浴室２および脱衣所３の幅寸法との差を利用して生じたスペースを洗面カウンター８を配置するためのスペースとしている。
【００４８】
前記第２支持部７である壁７ａはトイレ４の周囲を囲む周壁として水廻り設備室１内に立設されており、前記第１支持部６である支持壁６ａは、水廻り設備室１内に、この第２支持部７である壁７ａに対向するようにして立設されている。
そして、これら互いに対向する第１支持部６と第２支持部７との間に前記洗面カウンター８が架設されている。
【００４９】
前記浴室２と脱衣所３とトイレ４と洗面カウンター８を配置するためのスペースとを含めた部分は、水廻り設備室１の主要部とされており、この主要部に隣接して、前記ユーティリティースペース５が配置されている。より具体的には、トイレ４側に隣接するようにして配置されている。
このユーティリティースペース５は、収納部５ａと、矢印Ｂ方向に沿って形成された通路５ｂと、この通路５ｂと外部との間を行き来するための出入口５ｃとを有している。
【００５０】
なお、水廻り設備室１の主要部の矢印Ａ方向の長さは、矢印Ｂ方向の長さの約２倍に設定されており、矩形状に形成されている。また、この主要部のトイレ４側に隣接して前記ユーティリティースペース５が配置されているので、水廻り設備室１全体は、矢印Ａ方向に沿って長尺な場所として、建物内に配設されることになる。
【００５１】
なお、本実施の形態の水廻り設備室１は、これら複数の部屋２，３，４，５を含んで構成されているが、各部屋の有無や配置場所等は適宜変更可能である。
すなわち、水廻り設備室１を、例えば浴室とトイレとが一空間に備えられた所謂ユニットバスを含んで構成されたものしてもよい。また、図７に示すように、ユーティリティースペース５を浴室２側に隣接するようにして配置してもよい。また、浴室２、脱衣所３、トイレ４とを、図８に示すように、水廻り設備室１と玄関２０（後述する）とを隣接させた場合に対応する配置としてもよい。
【００５２】
本実施の形態の水廻り設備室１では、図１に示すように、前記浴室２の、脱衣所３とは反対側の壁に設けられた窓２ａから、前記洗面カウンター８の上方または下方の空間を介して、ユーティリティースペース５まで視線や光を通過させることができる（図１中の矢印Ｃ）。また、ユーティリティースペース５の通路５ｂ内も視線や光を通過させることができる（図１中の矢印Ｄ）。
【００５３】
以上のような水廻り設備室１に備え付けられる洗面カウンター８は、前記水廻り設備室１を構成する複数の部屋２，３，４…のうち、浴室２および脱衣所３側の領域とトイレ４側の領域との間に配置されており、この洗面カウンター８は、該洗面カウンター８を挟んで前記浴室２および脱衣所３側の領域とトイレ４側の領域とから使用可能とされている。
このような洗面カウンター８の配置構造は、図１に示す水廻り設備室１だけでなく、図７に示す水廻り設備室１にも採用することができる。
なお、図７に示す水廻り設備室１でも、矢印Ｅ，Ｆのように視線や光を通過させることができる。
【００５４】
続いて、水廻り設備室１と玄関２０とを隣接させた場合の洗面カウンター８の配置構造について説明する。なお、水廻り設備室１内の複数の部屋２，３，４は、水廻り設備室１と玄関２０とを隣接させた場合に対応する配置となっている。
【００５５】
前記水廻り設備室１は、図８に示すように、玄関２０に隣接して配設されている。この玄関２０は、土間２１と、この土間２１よりも一段高い玄関床の端部に位置する上がり框２２とを有している。
また、水廻り設備室１は、脱衣所３が玄関２０側に配置され、浴室２が該脱衣所３の玄関２０とは反対側に隣接して配置され、これら浴室２および脱衣所３の一方の端部側にトイレ４およびトイレ前スペースが配置されるようにして構成されている。
【００５６】
これら水廻り設備室１と玄関２０との間には、前記脱衣所３側に収納棚７ｂが配置されており、前記トイレ４側に洗面カウンター８が配置されている。なお、この洗面カウンター８を支持する第１支持部６としては支持壁６ａが採用されており、第２支持部７は前記収納棚７ｂの側板が採用されている。
そして、前記洗面カウンター８は、該洗面カウンター８を挟んで水廻り設備室１側と玄関２０側とから使用可能とされている。
【００５７】
なお、当該玄関２０と隣接する水廻り設備室１は、前記収納棚７ｂおよび洗面カウンター８を含んだ状態で、平面視において略正方形状に形成されている。
【００５８】
また、前記収納棚７ｂは、前記水廻り設備室１側と玄関２０側とに開放されており、水廻り設備室１側と玄関２０側とから物品等の収納を行えるようになっている。また、洗面カウンター８の上方および下方の空間も、前記水廻り設備室１側と玄関２０側とに開放されている。
さらに、前記収納棚７ｂおよび洗面カウンター８の玄関２０側には引き戸２３，２３が設けられており、前記収納棚７ｂの水廻り設備室１側には引き戸２４が設けられており、収納棚７ｂの内部や、玄関２０側からの洗面カウンター８への視線を適宜遮蔽できるようになっている。
なお、図８に示す水廻り設備室１でも、矢印Ｇ，Ｈのように視線や光を通過させることができる。
【００５９】
続いて、水廻り設備室１とキッチン３０とを隣接させた場合の洗面カウンター８の配置構造について説明する。なお、水廻り設備室１内の複数の部屋２，３，４，５は、図１に示すものと同様の配置となっている。
【００６０】
前記水廻り設備室１は、図９に示すように、キッチン設備が備え付けられたキッチン３０に隣接して配設されている。前記水廻り設備室１内には洗面カウンター８が配置されている。また、この洗面カウンター８を支持する第１支持部６は前記支持壁６ｄであり、この支持壁６ｄの上方には前記吊戸棚６ｅが配置されている。また、洗面カウンター８を支持する第２支持部７は前記壁７ａである。
【００６１】
前記支持壁６ｄと吊戸棚６ｅとは、前記水廻り設備室１とキッチン３０との間に、これら支持壁６ｄおよび吊戸棚６ｅの洗面カウンター８側とは反対側の面が前記キッチン３０に面するようにして配置されている。
【００６２】
前記キッチン設備は、キッチンキャビネット３１と、このキッチンキャビネット３１上方に間隔をあけて配置されるキッチン吊戸棚３２とを有している。
これらキッチンキャビネット３１およびキッチン吊戸棚３２は、所謂、対面式キッチンとされており、キッチンキャビネット３１のシンク３１ｂや調理器３１ｃを使用する人が立つ側を正面とし、その反対側を背面３１ａとしている。
前記キッチン吊戸棚３２の正面には扉３２ｂが設けられており、該扉３２ｂにより、キッチン吊戸棚３２内が開閉可能とされている。
【００６３】
そして、前記支持壁６ｄの上端部の高さ位置と前記キッチンキャビネット３１の上端部の高さ位置とが略等しくなるように設定されるとともに、前記吊戸棚６ｅの下端部の高さ位置と前記キッチン吊戸棚３２の下端部の高さ位置とが略等しくなるように設定されている（図９中の一点鎖線）。
すなわち、前記支持壁６ｄと吊戸棚６ｅとの隙間と、前記キッチンキャビネット３１とキッチン吊戸棚３２との隙間が、略等しい高さの隙間となるので、前記支持壁６ｄの上端部の高さ位置と前記キッチンキャビネット３１の上端部の高さ位置や、前記吊戸棚６ｅの下端部の高さ位置と前記キッチン吊戸棚３２の下端部の高さ位置が統一されるだけでなく、隙間も統一されることになる（図９中の矢印Ｉ）。
【００６４】
さらに、前記支持壁６ｄおよび吊戸棚６ｅのキッチン３０側面と、前記キッチンキャビネット３１およびキッチン吊戸棚３２の背面３１ａ，３２ａとが、略同様の意匠面とされている。
すなわち、本実施の形態において、前記支持壁６ｄおよび吊戸棚６ｅのキッチン３０側面と、前記キッチンキャビネット３１およびキッチン吊戸棚３２の背面３１ａ，３２ａには、木調の化粧板３３…がそれぞれ貼設されている。この化粧板３３…は、木目が横方向となるように貼設されている。
【００６５】
以上のように本実施の形態において、前記第１支持部６は、開口部９および透光性面材１０（１１）を備えた支持壁６ａとされ、その他にも支持柱６ｂ，６ｃや高さの低い支持壁６ｄを採用可とされており、さらに、前記洗面カウンター８の上方および下方の空間は、キャビネット等が無く開放された空間となっている。
したがって、この洗面カウンター８および該洗面カウンター８を支持する第１支持部６は、極力、その存在感が薄くなるように設定されている。すなわち、従来の洗面所空間のように、収納機能や化粧台としての機能を重視したものではなく、洗面カウンター８の使用に係る利便性や水廻り設備室１全体の開放感の向上を追求したものとなっている。
【００６６】
本実施の形態によれば、互いに対向するようにして立設された第１支持部６と第２支持部７との間には、洗面ボウル８ａを備える洗面カウンター８が架設されており、この洗面カウンター８は、該洗面カウンター８を挟んで両側から使用可能とされているので、例えば、前記洗面カウンター８を挟む一方側および他方側を、それぞれ、水廻り設備室１を構成する複数の部屋２，３，４…のいずれかとすることで、これら一方の部屋側と他方の部屋側とから洗面カウンター８を使用することができる。すなわち、一つの洗面カウンター８を二方向から使用することができるので、従来に比して、利便性を確実に向上させることができる。
また、前記洗面カウンター８の上方および下方を、前記一方の部屋側の領域と他方の部屋側の領域とを連通する空間とすることができる。これによって、前記一方の部屋側の領域と他方の部屋側の領域との間で視線が遮られることを防ぐことができるとともに、水廻り設備室１内の開放感を高めることができるので、快適な環境を形成することが可能となる。
【００６７】
特に、前記洗面カウンター８は、該洗面カウンター８を挟んで前記浴室２および脱衣所３側の領域とトイレ４側の領域とから使用可能とされているので、従来に比して、利便性をより確実に向上させることができる。
すなわち、例えば、前記浴室２および脱衣所３側の領域とトイレ４側の領域とから同時に洗面カウンター８を使用することもできるし、居住者の誰かが前記浴室２および脱衣所３側の領域から洗面カウンター８を使用していても、前記トイレ４を使用した他の居住者が、トイレ４側の領域から洗面カウンター８を使用したりすることができるので、水廻り設備室１内における利便性が高い。
【００６８】
また、前記洗面カウンター８用の排水管および水道管は、中空状に形成された支持部６の内部に配管されているので、前記洗面カウンター８の上方および下方に配管が露出するのを防ぐことができ、前記洗面カウンター８の上方および下方の空間をすっきりさせることができる。
【００６９】
また、前記支持壁６ａに設けられた開口部９には、透光性を有する面材１０が嵌め込まれているので、この透光性面材１０を介して光を通過させることができる。これによって、前記支持壁６ａの厚さ方向一方側の空間からの光を他方側の空間へと差し込ませたり、前記支持壁６ａの厚さ方向他方側の空間からの光を一方側の空間へと差し込ませたりすることができるので、前記支持壁６ａによって前記一方側の空間と他方側の空間とが仕切られていることを、極力意識させないようにすることができる。
なお、透光性を有する面材１０に代えて、透光性を有する面材１１を使用したとしても同様の効果を得ることができることは言うまでもない。
【００７０】
また、前記開口部９には、内部が収納部１２ａとされる収納枠体１２が嵌め込まれているので、前記支持壁６ａの洗面カウンター８側に収納を設けることができる。これによって、前記支持壁６ａによって前記一方側の空間と他方側の空間とが仕切られていることを、前記透光性面材１０により極力意識させないようにしながら、前記洗面カウンター８の使い勝手を向上させることができる。
なお、透光性を有する面材１０に代えて、透光性を有する面材１１を使用したとしても同様の効果を得ることができることは言うまでもない。
【００７１】
さらに、水廻り設備室１と玄関２０とを隣接させた場合においても、前記洗面カウンター８は、該洗面カウンター８を挟んで水廻り設備室１側と玄関２０側とから使用可能とされているので、従来に比して、利便性をより確実に向上させることができる。
すなわち、例えば、前記水廻り設備室１側と玄関２０側とから同時に洗面カウンター８を使用することもできるし、帰宅後すぐに、玄関２０側から洗面カウンター８を使用したりすることもでき、水廻り設備室１内だけでなく、水廻り設備室１に隣接する場所における利便性も高い。
【００７２】
さらに、水廻り設備室１とキッチン３０とを隣接させた場合においては、前記洗面カウンター８をキッチン３０側に露出させない状態で、水廻り設備室１とキッチン３０とを隣接して配置することができる。
また、前記支持壁６ｄの上端部の高さ位置と前記キッチンキャビネット３１の上端部の高さ位置とが略等しくなるように設定されるとともに、前記吊戸棚６ｅの下端部の高さ位置と前記キッチン吊戸棚３２の下端部の高さ位置とが略等しくなるように設定されているので、隣接する水廻り設備室１とキッチン３０とに統一感を持たせることができる。しかも、前記支持壁６ｄと吊戸棚６ｅとの隙間と、前記キッチンキャビネット３１とキッチン吊戸棚３２との隙間も統一されるので、水廻り設備室１とキッチン３０との間における視野を拡大させることができるとともに開放感を高めることができ、より快適な環境を形成することが可能となる。
また、前記支持壁６ｄおよび吊戸棚６ｅのキッチン３０側面と、前記キッチンキャビネット３１およびキッチン吊戸棚３２の一側面３１ａ，３２ａとが、略同様の意匠面とされているので、隣接する水廻り設備室１とキッチン３０との統一感をより高めることができる。
【符号の説明】
【００７３】
１  水廻り設備室
２  浴室
３  脱衣所
４  トイレ
６  第１支持部
７  第２支持部
８  洗面カウンター
【図１】
0005774827.tif 000002
【図２】
0005774827.tif 000003
【図３】
0005774827.tif 000004
【図４】
0005774827.tif 000005
【図５】
0005774827.tif 000006
【図６】
0005774827.tif 000007
【図７】
0005774827.tif 000008
【図８】
0005774827.tif 000009
【図９】
0005774827.tif 000010